(57)【要約】【課題】キャビネット内に収納される収納体の出し入れ操作の際に、自動開閉する収納体の上蓋がキャビネットと干渉しない収納システムを提供することを目的とする。【解決手段】前面開口形のキャビネット１を備え、このキャビネット１内に引き出し自在に収納されると共に引き出し操作により自動開放動作する上蓋３が設けられている収納体２を有する収納システムにおいて、前記収納体２の前記上蓋３が自動開放動作した際に、この上蓋３が前記キャビネット１に衝突することを防止する上蓋衝突防止機構を備え、この上蓋衝突防止機構は、前記収納体２を前記キャビネット１内から引き出した際に前方に移動し、前記キャビネット１の前面開口部１Ａよりも前方に突出状態となるストッパ部４を備える収納システム。【選択図】図１
2020022568.tif 000002
【特許請求の範囲】
【請求項１】
前面開口形のキャビネットを備え、このキャビネット内に引き出し自在に収納されると共に引き出し操作により自動開放動作する上蓋が設けられている収納体を有する収納システムにおいて、前記収納体の前記上蓋が自動開放動作した際に、この上蓋が前記キャビネットに衝突することを防止する上蓋衝突防止機構を備え、この上蓋衝突防止機構は、前記収納体を前記キャビネット内から引き出した際に前方に移動し、前記キャビネットの前面開口部よりも前方に突出状態となるストッパ部を備えることを特徴とする収納システム。
【請求項２】
前記上蓋衝突防止機構は、前記キャビネットに設けられていて、前記収納体の引き出し移動に伴い前進移動する移動部と、この移動部の移動をガイドするガイド部と、前記移動部に設けられる前記ストッパ部とからなることを特徴とする請求項１記載の収納システム。
【請求項３】
前記ガイド部は、前下がり傾斜部を有する構成とされ、前記移動部は、この前下がり傾斜部の傾斜を利用して前進移動する構成とされていることを特徴とする請求項２記載の収納システム。
【請求項４】
前記収納体は、前記キャビネットに引き出し自在に設けられている引出体内若しくはワゴン体内に配設されていて、この引出体若しくはワゴン体の引き出し操作により前記キャビネット内から引き出される構成とされていることを特徴とする請求項１〜３のいずれか１項に記載の収納システム。
【請求項５】
前記収納体の前記上蓋の閉蓋状態を保持する上蓋押さえ部を備え、この上蓋押さえ部は、前記収納体に対して相対移動自在に設けられていて、前記収納体が引き出し方向に移動することで前記上蓋から離脱する方向に移動して前記上蓋の閉蓋状態を解除するように構成されていることを特徴とする請求項１〜４のいずれか1項に記載の収納システム。
【請求項６】
前記ストッパ部は、前記上蓋押さえ部よりも上方且つ前方に配設され、前記収納体の引き出し移動により前記上蓋押さえ部による前記上蓋の閉蓋状態の保持が解除されて、前記上蓋が自動開放する動作途中でこの上蓋に当接係合するように構成されていることを特徴とする請求項５記載の収納システム。
【請求項７】
前記上蓋は、前記上蓋押さえ部による閉蓋状態の保持が解除され自動開放する動作途中で前記ストッパ部に当接係合し、このストッパ部に当接しながら前記収納体の引き出し移動に伴い徐々に開放してゆくように構成されていることを特徴とする請求項５，６のいずれか１項に記載の収納システム。
【請求項８】
前記キャビネットの前面開口部よりも前方に突出している前記ストッパ部を前記キャビネット内に戻し移動させるストッパ復帰動作機構を備えることを特徴とする請求項１〜７のいずれか１項に記載の収納システム。
【請求項９】
前記ストッパ復帰動作機構は、前記収納体の押し入れ操作に伴い移動し前記ストッパ部若しくはこのストッパ部と連設される移動部に当接し、前記押し入れ操作により前記ストッパ部若しくは前記移動部を押動するストッパ押動部を備えることを特徴とする請求項８記載の収納システム。
【発明の詳細な説明】
【技術分野】
【０００１】
本発明は、キャビネット内に引き出し自在に収納されると共に、このキャビネット内に収納されている収納状態から引き出す引き出し操作により上蓋が自動開放動作するように構成されている収納体（例えばゴミ箱）を備える収納システムに関するものである。
【背景技術】
【０００２】
従来、システムキッチンのなかには、例えば特許文献１に示すような収納式ごみ箱が備えられているものがある。
【０００３】
この収納式ごみ箱は、キャビネット内に出し入れ自在に設けられているスライドユニット内に配置され、このスライドユニットをキャビネットから引き出すと、この引き出し動作に連動する開閉駆動手段により蓋が水平軸を中心に回動して自動的に開き、また、スライドユニットをキャビネット内に収納すると自動的に蓋が閉じるように構成されている。
【先行技術文献】
【特許文献】
【０００４】
【特許文献１】実開平３−１０９５３９号公報
【発明の概要】
【発明が解決しようとする課題】
【０００５】
ところで、従来のシステムキッチン等の収納システムに備えられる収納式ごみ箱は、この特許文献１の図３及び図４に示されるような、蓋（ごみ箱側）にこの蓋を開放付勢する開放付勢手段（開放付勢部材）が設けられ、また、キャビネット側にこの開放付勢される蓋の上面に当接するローラーが設けられていて、スライドユニットをキャビネットから引き出すと、ローラーによる蓋の開放動作（上方回動動作）の阻止状態が解除されて、開放付勢手段により蓋が自動開放し、この引き出し状態のスライドユニットをキャビネット内に押し戻すと、ローラーが開放する蓋の上面に当接して蓋を閉蓋するように構成されているものが多い。
【０００６】
しかしながら、このように一つのローラーで開放付勢されるごみ箱の蓋の開閉動作の制御を行う場合、ローラーによる蓋の開放動作（上方回動動作）の阻止状態が解除されると、開放付勢手段により勢い良く蓋が開放してキャビネットの開口縁や前面パネルに当たってしまい、キャビネットや蓋を傷めてしまうおそれがある。また、閉蓋時も蓋がローラーに当接する前にキャビネットの開口縁や前面パネルに当たってしまい、この当接状態で押し戻すため、キャビネットとごみ箱の蓋とに擦れが生じ、傷がついてしまうおそれもある。
【０００７】
このように、従来の収納システムは、キャビネットに出し入れ自在に収納される収納式ごみ箱を出し入れ操作することで、ごみ箱の蓋がキャビネットの前面部（開口縁や前面の化粧パネル等）に当たってしまうことにより、キャビネットや蓋が破損するおそれがあるものであった。
【０００８】
本発明は、このような従来の収納システムが有する問題を解決するものであり、ごみ箱等のキャビネット内に収納される収納体の出し入れ操作の際に、自動開閉する収納体の上蓋がキャビネットと干渉せず、キャビネット、収納体の上蓋の何れも破損するおそれがない収納システムを提供することを目的とする。
【課題を解決するための手段】
【０００９】
添付図面を参照して本発明の要旨を説明する。
【００１０】
前面開口形のキャビネット１を備え、このキャビネット１内に引き出し自在に収納されると共に引き出し操作により自動開放動作する上蓋３が設けられている収納体２を有する収納システムにおいて、前記収納体２の前記上蓋３が自動開放動作した際に、この上蓋３が前記キャビネット１に衝突することを防止する上蓋衝突防止機構を備え、この上蓋衝突防止機構は、前記収納体２を前記キャビネット１内から引き出した際に前方に移動し、前記キャビネット１の前面開口部１Ａよりも前方に突出状態となるストッパ部４を備えることを特徴とする収納システムに係るものである。
【００１１】
また、前記上蓋衝突防止機構は、前記キャビネット１に設けられていて、前記収納体２の引き出し移動に伴い前進移動する移動部５と、この移動部５の移動をガイドするガイド部６と、前記移動部５に設けられる前記ストッパ部４とからなることを特徴とする請求項１記載の収納システムに係るものである。
【００１２】
また、前記ガイド部６は、前下がり傾斜部６Ａを有する構成とされ、前記移動部５は、この前下がり傾斜部６Ａの傾斜を利用して前進移動する構成とされていることを特徴とする請求項２記載の収納システムに係るものである。
【００１３】
また、前記収納体２は、前記キャビネット１に引き出し自在に設けられている引出体７内若しくはワゴン体７Ａ内に配設されていて、この引出体７若しくはワゴン体７Ａの引き出し操作により前記キャビネット１内から引き出される構成とされていることを特徴とする請求項１〜３のいずれか１項に記載の収納システムに係るものである。
【００１４】
また、前記収納体２の前記上蓋３の閉蓋状態を保持する上蓋押さえ部８を備え、この上蓋押さえ部８は、前記収納体２に対して相対移動自在に設けられていて、前記収納体２が引き出し方向に移動することで前記上蓋３から離脱する方向に移動して前記上蓋３の閉蓋状態を解除するように構成されていることを特徴とする請求項１〜４のいずれか1項に記載の収納システムに係るものである。
【００１５】
また、前記ストッパ部４は、前記上蓋押さえ部８よりも上方且つ前方に配設され、前記収納体２の引き出し移動により前記上蓋押さえ部８による前記上蓋３の閉蓋状態の保持が解除されて、前記上蓋３が自動開放する動作途中でこの上蓋３に当接係合するように構成されていることを特徴とする請求項５記載の収納システムに係るものである。
【００１６】
また、前記上蓋３は、前記上蓋押さえ部８による閉蓋状態の保持が解除され自動開放する動作途中で前記ストッパ部４に当接係合し、このストッパ部４に当接しながら前記収納体２の引き出し移動に伴い徐々に開放してゆくように構成されていることを特徴とする請求項５，６のいずれか１項に記載の収納システムに係るものである。
【００１７】
また、前記キャビネット１の前面開口部１Ａよりも前方に突出している前記ストッパ部４を前記キャビネット１内に戻し移動させるストッパ復帰動作機構を備えることを特徴とする請求項１〜７のいずれか１項に記載の収納システムに係るものである。
【００１８】
また、前記ストッパ復帰動作機構は、前記収納体２の押し入れ操作に伴い移動し前記ストッパ部４若しくはこのストッパ部４と連設される移動部５に当接し、前記押し入れ操作により前記ストッパ部４若しくは前記移動部５を押動するストッパ押動部９を備えることを特徴とする請求項８記載の収納システムに係るものである。
【発明の効果】
【００１９】
本発明は上述のように構成したから、キャビネット内に収納される収納体の出し入れ操作の際に自動開閉する収納体の上蓋がキャビネットと干渉せず、収納体の上蓋がキャビネットに勢い良く衝突したり擦れたりすることによって破損してしまうおそれがない収納システムとなる。
【図面の簡単な説明】
【００２０】
【図１】本実施例のキャビネットを示す説明斜視図である。
【図２】本実施例の上蓋自動開閉装置の要部を示す説明斜視図である。
【図３】本実施例の使用状態（ダストボックス収納状態）説明図である。
【図４】本実施例の使用状態（ダストボックス引き出し操作開始）説明図である。
【図５】本実施例の使用状態（ダストボックス引き出し操作途中）説明図である。
【図６】本実施例の使用状態（ダストボックス引き出し操作途中）説明図である。
【図７】本実施例の使用状態（ダストボックス引き出し操作完了）説明図である。
【図８】本実施例の使用状態（ダストボックス押し入れ操作開始）説明図である。
【図９】本実施例の使用状態（ダストボックス押し入れ操作途中）説明図である。
【図１０】本実施例の使用状態（ダストボックス押し入れ操作途中）説明図である。
【図１１】本実施例の使用状態（ダストボックス押し入れ操作完了）説明図である。
【図１２】本実施例の別例を示す説明斜視図である。
【発明を実施するための形態】
【００２１】
好適と考える本発明の実施形態を、図面に基づいて本発明の作用を示して簡単に説明する。
【００２２】
キャビネット１内に収納されている収納体２を引き出し操作により手前側に引き出し移動させると、この収納体２の引き出し移動に伴って上蓋衝突防止機構のストッパ部４が前方（前記収納体２の引き出し方向）に移動し、このストッパ部４がキャビネット１の前面開口部１Ａよりも前方に突出した状態になる。
【００２３】
これにより、引き出し操作により収納体２の上蓋３の閉蓋保持状態が解除され、上蓋３が自動開放動作した際に、上蓋３はキャビネット１の前面開口部１Ａよりも前方に位置するストッパ部４に当接することとなり、自動開放動作時の上蓋３のキャビネット１への衝突が防止される。
【００２４】
また、この前方に引き出された収納体２をキャビネット１内に収納するため、この収納体２を押し入れ（押し戻し）操作により押し入れ移動させると、この開放状態の上蓋３の上面が、キャビネット１の前面開口部１Ａよりも前方に位置するストッパ部４に当接し、このストッパ部４により自動閉蓋動作することとなり、自動閉蓋動作時のキャビネット１への当接及び擦れの発生が防止される。
【００２５】
このように、本発明は、キャビネット１内に収納される収納体２の出し入れ操作の際に、自動開閉する収納体２の上蓋３がキャビネット１と干渉せず、キャビネット１、収納体２の上蓋３の何れも衝突や擦れによって破損するおそれがない収納システムとなる。
【実施例】
【００２６】
本発明の具体的な実施例について図面に基づいて説明する。
【００２７】
本実施例は、前面開口形のキャビネット１を備え、このキャビネット１内に引き出し自在に収納されると共に引き出し操作により自動開放動作する上蓋３が設けられている収納体２を有する収納システムである。
【００２８】
具体的には、本実施例は、前方に引き出し自在に設けられる引出体７を有するキャビネット１を備え、この引出体７に、この引出体７の引き出し操作によりキャビネット１内から引き出されることで上蓋３が自動開放するように構成されている収納体２が収納されている収納システムである。
【００２９】
より具体的には、本実施例は、キャビネット１内に収納体２の引き出し押し入れ操作に伴って作動する上蓋自動開閉装置が設けられていて、この上蓋自動開閉装置により収納体２の上蓋３がこの収納体２（引出体７）の引き出し押し入れ操作に伴って自動開閉するように構成されている。尚、本実施例は、収納システムとしてシステムキッチンを採用すると共に、キャビネット１内に引き出し自在に収納される収納体２としてダストボックス２を採用した場合である。また、本実施例は、前述の通り引出体７を採用した場合であるが、図１２に示すように、引出体７の代わりにワゴン体７Ａを採用しても良い。
【００３０】
以下、本実施例に係る構成各部について詳述する。
【００３１】
キャビネット１内に引き出し自在に収納されるダストボックス２は、上部が開口する収容部10と、この収容部10の上部開口部を開閉自在に閉蓋する上蓋３とからなり、この上蓋３は、後端部が収容部10の上部開口縁部の後縁部に枢着されて起伏回動自在に設けられていると共に、この枢着部に設けられた付勢部材（図示省略）により開放付勢されている構成となっている。
【００３２】
尚、本実施例のダストボックス２は、前端部にこの開放付勢に抗して上蓋３の閉蓋状態を保持する上蓋ロック機構を有する構成とされているが、本実施例では、この上蓋ロック機構を無効にする上蓋ロック機構無効部材11を用いて、上蓋ロック機構を無効にした状態でキャビネット１内に収納配設されている。
【００３３】
具体的には、上蓋ロック機構無効部材11は、上蓋ロック機構のロック解除操作部12のロック解除姿勢を保持させるもので、本実施例では、この上蓋ロック機構無効部材11を板状に形成し、ロック解除操作部12がロック解除姿勢になった際に生じる隙間にこの板状に形成される上蓋ロック機構無効部材11を挿入配設し、上蓋ロック機構無効部材11の戻り動作を抑制することで、この上蓋ロック機構無効部材11のロック解除姿勢が保持される構成となっている。尚、本実施例の上蓋ロック機構無効部材11は、前記隙間に挿脱自在に配設されていて、ロック解除操作部12がロック解除姿勢になった際に生じる隙間から容易に取り外すことができ、上蓋ロック機構を有効にすることができるように構成されている。
【００３４】
また、このダストボックス２の上蓋３の自動開閉動作を制御する上蓋自動開閉装置は、ダストボックス２の上蓋３の閉蓋状態を保持する上蓋押さえ部８と、ダストボックス２の上蓋３が自動開放動作した際に、この上蓋３がキャビネット１（キャビネット１の前面開口部１Ａの開口縁部若しくはキャビネット１の前面パネル）に衝突することを防止する上蓋衝突防止機構とからなる構成とされている。
【００３５】
具体的には、上蓋押さえ部８は、キャビネット１内に収納された状態のダストボックス２の閉蓋状態の上蓋３の上面に当接する位置に配設されていると共に、ダストボックス２に対して相対移動自在に設けられていて、ダストボックス２が引き出し方向に移動することで上蓋３から離脱する方向に移動して、上蓋３の閉蓋状態を解除するように構成されている。
【００３６】
より具体的には、本実施例の上蓋押さえ部８は、下部側に上蓋３に当接するローラー状に形成される当接部８Ａが設けられ、この当接部８Ａがダストボックス２の上蓋３に当接するようにキャビネット１の左右側板部間に架設される上蓋押さえ部取付板部13に垂下状態に設けられていて、ダストボックス２が引き出し方向に移動することでこのローラー状の当接部８Ａが上蓋３の上面を転動してこの上蓋３から離脱するように構成されている。
【００３７】
また、上蓋衝突防止機構は、ダストボックス２をキャビネット１内から引き出した際に前方に移動し、キャビネット１の前面開口部１Ａよりも前方に突出状態となるストッパ部４を備える構成とされている。
【００３８】
具体的には、本実施例の上蓋衝突防止機構は、キャビネット１に設けられていて、前述したストッパ部４に加え、更にダストボックス２（引出体７）の引き出し移動に伴い前進移動する移動部５と、この移動部５の移動をガイドするガイド部６とを備え、このガイド部６にガイドさて移動する移動部５にストッパ部４が設けられている構成とされている。
【００３９】
より具体的には、移動部５は、先端部に後述するストッパ押動部９に当接する当接部５Ａ（本実施例では当接ローラー５Ａ）と、凹状溝に形成されるガイド部６に嵌合する移動用ローラー５Ｂとを備える構成とされている。
【００４０】
また、ガイド部６は、前述の通り凹状溝に形成されていて、前方に向かって下り傾斜する前下がり傾斜部６Ａを有すると共に、この前下がり傾斜部６Ａの先端部に移動部５の移動用ローラー５Ａが落ち込み係合するローラー落ち込み凹部６Ｂが設けられている構成とされている。
【００４１】
即ち、本実施例の移動部５は、移動用ローラー５Ｂがこのガイド部６の前下がり傾斜部６Ａに配置され、この前下がり傾斜部６Ａの傾斜と自重を利用して前方に自動移動し、この前下がり傾斜部６Ａの先に設けられたローラー落ち込み凹部６Ｂに移動用ローラー５Ｂが落ち込み係合して移動が停止し、位置決めされるように構成されている。
【００４２】
また、ストッパ部４は、前述した上蓋押さえ部８よりも上方且つ前方に配設され、ダストボックス２（引出体７）の引き出し移動により上蓋押さえ部８による上蓋３の閉蓋状態の保持が解除されて上蓋３が自動開放する動作途中でこの上蓋３に当接係合するように構成されている。
【００４３】
具体的には、本実施例のストッパ部４は、ダストボックス２の上蓋３が当接する際の衝撃を緩和するようゴムやスポンジ等の弾性素材で形成されていて、キャビネット１の左右側板部に設けられる一対の移動部５間に架設されるストッパ取付杆14に設けられ、移動部５の前後移動に連動して移動するように構成されている。
【００４４】
即ち、本実施例は、キャビネット１内に収納されるダストボックス２の上蓋３が、上蓋押さえ部８による閉蓋状態の保持が解除され自動開放する動作途中でこのストッパ部４に当接係合し、このストッパ部４に当接しながらダストボックス２（引出体７）の引き出し移動に伴い徐々に開放してゆくように構成されている。
【００４５】
また、本実施例は、キャビネット１の前面開口部１Ａよりも前方に突出しているストッパ部４をキャビネット１内に戻し移動させるストッパ復帰動作機構を備える構成とされている。
【００４６】
具体的には、ストッパ復帰動作機構は、ダストボックス２（引出体７）の押し入れ操作に伴い移動し、キャビネット１の前面開口部１Ａより突出しているストッパ部４に当接し、前記押し入れ操作によりこのストッパ部４を押動するストッパ押動部９を備える構成とされている。
【００４７】
より具体的には、ストッパ押動部９は、キャビネット１の引出体７の前板部の裏面に設けられていて、引出体７（ダストボックス２）がキャビネット１内に収納されている状態においては、移動部５の当接ローラー５Ａに当接して移動部５の前進移動を抑制し、引出体７（ダストボックス２）がキャビネット１から引き出されている状態においては、この引出体７（ダストボックス２）を収納方向に押し入れ操作することでキャビネット１の前面開口部１Ａから突出している当接ローラー５Ａに接近当接した後、この当接ローラー５Ａを押動してこの当接ローラー５Ａが設けられる移動部５を元の位置に戻し移動させ、この移動部５を戻し移動させることでストッパ部４をキャビネット１内の元の位置に戻し移動させるように構成されている。
【００４８】
更に具体的に説明すると、本実施例のストッパ押動部９は、当接ローラー５Ａとの当接面が傾斜面に形成されていて、押し入れ操作によりこのストッパ押動部９に当接する当接ローラー５Ａがこの傾斜面に沿って上り移動するように構成されていて、この移動用ローラー５Ｂが傾斜面を上り移動することで移動部５が上昇移動し、ローラー落ち込み凹部６Ｂに落ち込み係合している移動用ローラー５Ｂがローラー落ち込み凹部６Ｂから離脱して、移動用ローラー５Ｂが戻り移動するように構成されている。
【００４９】
以上のように構成される本実施例の作用効果について以下に説明する。
【００５０】
図３は、本実施例のダストボックス２がキャビネット１内に収納されている状態を示す図である。
【００５１】
この収納状態においては、ダストボックス２の上蓋３は、上面に上蓋押さえ部８が当接している状態にあり、これにより自動開放動作が阻止され閉蓋状態が保持されている。
【００５２】
また、上蓋衝突防止機構は、移動部５の当接ローラー５Ａがストッパ復帰動作機構のストッパ押動部９に当接している状態にあり、これにより移動部５は前進移動を阻止され所定位置（収納位置）に位置決めされた状態になっている。
【００５３】
この収納状態からダストボックス２をキャビネット１内から引き出すために引出体７を引き出し操作すると、図４に示すように、上蓋押さえ部８がダストボックス２の上蓋３の上面を奥側（上蓋３の枢着部側）に向かって相対移動すると共に、引出体７の引き出し操作に伴って移動部５が前方に移動し、引出体７が所定量引き出され移動部５に連設されるストッパ部４がキャビネット１の前面開口部１Ａから突出した状態となる位置になったところで移動用ローラー５Ｂがガイド部６のローラー落ち込み凹部６Ｂに落ち込み係合して移動部５の移動が停止しストッパ部４が位置決めされる。
【００５４】
そして、更に引出体７を引き出し操作すると、図５に示すように上蓋押さえ部８による閉蓋状態の保持が解除され上蓋３が自動開放動作して上方に位置するストッパ部４に当接し、その後、引出体７の引き出し操作に伴い、図６に示すように、上蓋３がストッパ部４に当接しながら徐々に開放動作し、引出体７の引き出し操作が完了しダストボックス２を引き出し状態にした際、図７に示すように、ダストボックス２の上蓋３は、キャビネット１の前面開口部１Ａから突出するストッパ部４に当接することでキャビネット１の前面部、例えばキャビネット１の前面パネルや前面開口部１Ａの開口縁部への接触が回避され、これによりダストボックス２の上蓋３の接触によるキャビネット１やダストボックス２の上蓋３の破損や傷つきが防止される。
【００５５】
また、このキャビネット１から引き出したダストボックス２をキャビネット１内に収納するため、引出体７を押し入れ操作すると、図８に示すように、先ず、開放状態のダストボックス２の上蓋３がキャビネット１の前面開口部１Ａから突出するストッパ部４に当接、このストッパ部４に当接した状態で引出体７の押し入れ操作が行われることで、ダストボックス２の上蓋３が閉蓋動作し始める。
【００５６】
そして、引出体７の押し入れ操作が更に進むと、図９に示すように上蓋押さえ部８がダストボックス２の上蓋３に係合し、この上蓋押さえ部８によりダストボックス２の上蓋３が閉蓋状態となる。
【００５７】
更に引出体７の押し入れ操作が進むと、図１０に示すようにストッパ復帰動作機構のストッパ押動部９が上蓋衝突防止機構の移動部５の当接ローラー５Ａに当接し、この当接ローラー５Ａがストッパ押動部９に当接した状態で引出体７の押し入れ操作が進むことで、当接ローラー５Ａがストッパ押動部９の傾斜面を上り移動し、この上り移動作用によりローラー落ち込み凹部６Ｂに落ち込み係合していた移動用ローラー５Ｂがローラー落ち込み凹部６Ｂから離脱し前下がり傾斜部６Ａを戻り移動し、引出体７の押し入れ操作が完了すると、図１１に示すように、引き出し前と同様、ダストボックス２が、上蓋押さえ部８により上蓋３の閉蓋状態が保持された状態でキャビネット１内に収納される。
【００５８】
このように、本実施例は、キャビネット１内に収納されるダストボックス２の出し入れ操作の際に、このダストボックス２の上蓋３がストッパ部４に当接しキャビネット１への接触（干渉）が防止されるから、ダストボックス２の出し入れ操作において、ダストボックス２の上蓋３の接触（例えば衝突や擦れ）によってキャビネット１やダストボックス２の上蓋３の破損や傷つきが生じない画期的な収納システムとなる。
【００５９】
尚、本発明は、本実施例に限られるものではなく、各構成要件の具体的構成は適宜設計し得るものである。
【符号の説明】
【００６０】
１  キャビネット
１Ａ  前面開口部
２  収納体
３  上蓋
４  ストッパ部
５  移動部
６  ガイド部
６Ａ  前下がり傾斜部
７  引出体
７Ａ  ワゴン体
８  上蓋押さえ部
９  ストッパ押動部
【図１】
2020022568.tif 000003
【図２】
2020022568.tif 000004
【図３】
2020022568.tif 000005
【図４】
2020022568.tif 000006
【図５】
2020022568.tif 000007
【図６】
2020022568.tif 000008
【図７】
2020022568.tif 000009
【図８】
2020022568.tif 000010
【図９】
2020022568.tif 000011
【図１０】
2020022568.tif 000012
【図１１】
2020022568.tif 000013
【図１２】
2020022568.tif 000014